(57)【要約】【課題】原稿画像を読み取ってデータ化する画像処理装置において、ユーザが原稿の読み取り作業を行う際の利便性を向上する。【解決手段】計算部７１は、画像読取部２で読み取る対象の原稿の単位ページあたりの画像データが取り得る最大データ量を算出するとともに、最大データ量と所定の上限データ量とに基づいて、上限データ量以内でデータ化可能な最大ページ数を算出し、表示／入力パネル６１は、最大ページ数を示す情報を表示してユーザに通知し、ユーザ操作により読み取り動作の開始が指示された場合、制御部７は、画像読取部２に原稿の読み取り動作を開始させる。【選択図】図１
2011211326.tif 000002
【特許請求の範囲】
【請求項１】
所定の上限データ量まで、原稿の各ページ画像を連続的に読み取って画像データとして保存可能な画像読取部と、
前記画像読取部で読み取る対象の原稿の単位ページあたりの画像データが取り得る最大データ量を算出するとともに、前記最大データ量と、前記上限データ量とに基づいて、前記上限データ量以内でデータ化可能な最大ページ数を算出する計算部と、
前記最大ページ数を示す情報を表示する表示部と、
読み取り動作を開始する指示信号が入力された場合、原稿の読み取り動作を開始するよう前記画像読取部を制御する制御部と
を備えることを特徴とする画像処理装置。
【請求項２】
前記制御部は、前記画像読取部で読み取った原稿のページ数が前記最大ページ数に達したら、読み取り動作を終了するよう前記画像読取部を制御することを特徴とする請求項１に記載の画像処理装置。
【請求項３】
前記制御部は、前記画像読取部で原稿を単位ページ読み取るごとに、それまでに読み取ったページの画像データ量の合計である合計データ量を算出するとともに、前記合計データ量に前記最大データ量を加算した加算値を算出し、前記加算値が前記上限データ量以上となった場合、読み取り動作を終了するよう前記画像読取部を制御することを特徴とする請求項１に記載の画像処理装置。
【請求項４】
前記計算部は、原稿の用紙サイズを示す原稿サイズ情報と、画像データにおける解像度およびカラー属性に基づいて、前記最大データ量を算出することを特徴とする請求項１乃至３のいずれか１項に記載の画像処理装置。
【発明の詳細な説明】
【技術分野】
【０００１】
本発明は、原稿画像を読み取ってデータ化する画像処理装置に関する。
【背景技術】
【０００２】
従来、原稿の画像を読み取ってデータ化する画像処理装置において、自動原稿搬送装置（ＡＤＦ）を用い、複数ページの原稿の各ページ画像を連続して読み取る機能を有するものが知られている（例えば、特許文献１参照）。
【先行技術文献】
【特許文献】
【０００３】
【特許文献１】特開２００７−２６６７４６号公報
【発明の概要】
【発明が解決しようとする課題】
【０００４】
上記のような画像処理装置において、多ページの原稿を読み取ってデータ化した場合、画像データのデータ量が大きすぎて取り扱いに不都合が生じることがあった。
【０００５】
例えば、読み取ったページごとにファイル化する形式でデータ化を行う場合に、複数ページの原稿の各ページ画像を連続して読み取って得られた複数ページの画像データのファイルを１つのファイルに圧縮して保存等することがある。複数ページの画像データを１ファイルにまとめることで、管理、取り扱いを容易とすることができる。しかし、圧縮しようとする複数ページの画像データの合計のデータ量が大きすぎると、圧縮処理ができなくなることがある。
【０００６】
このような、一連の読み取り動作により得られる画像データの総量が大きすぎることによる不都合が生じるか否かについては、読み取りを行ってみなければ分からなかった。このため、ユーザは、一度全ページの読み取り作業を行って、画像データの総量が大きすぎることことをエラー表示等によって知った後、原稿を複数回に分けて読み取り作業をやり直すことになり、不便であった。
【０００７】
本発明は上記に鑑みてなされたもので、ユーザが原稿の読み取り作業を行う際の利便性を向上することができる画像処理装置を提供することを目的とする。
【課題を解決するための手段】
【０００８】
上記目的を達成するため、本発明に係る画像処理装置の第１の特徴は、所定の上限データ量まで、原稿の各ページ画像を連続的に読み取って画像データとして保存可能な画像読取部と、前記画像読取部で読み取る対象の原稿の単位ページあたりの画像データが取り得る最大データ量を算出するとともに、前記最大データ量と、前記上限データ量とに基づいて、前記上限データ量以内でデータ化可能な最大ページ数を算出する計算部と、前記最大ページ数を示す情報を表示する表示部と、読み取り動作を開始する指示信号が入力された場合、原稿の読み取り動作を開始するよう前記画像読取部を制御する制御部とを備えることにある。また、前記表示部は、読み取り動作を開始するか否かをユーザに選択させるための通知画面をさらに表示するようにしてもよい。
【０００９】
本発明に係る画像処理装置の第２の特徴は、前記制御部は、前記画像読取部で読み取った原稿のページ数が前記最大ページ数に達したら、読み取り動作を終了するよう前記画像読取部を制御することにある。
【００１０】
本発明に係る画像処理装置の第３の特徴は、前記制御部は、前記画像読取部で原稿を単位ページ読み取るごとに、それまでに読み取ったページの画像データ量の合計である合計データ量を算出するとともに、前記合計データ量に前記最大データ量を加算した加算値を算出し、前記加算値が前記上限データ量以上となった場合、読み取り動作を終了するよう前記画像読取部を制御することにある。
【００１１】
本発明に係る画像処理装置の第４の特徴は、前記計算部は、原稿の用紙サイズを示す原稿サイズ情報と、画像データにおける解像度およびカラー属性に基づいて、前記最大データ量を算出することにある。
【発明の効果】
【００１２】
本発明に係る画像処理装置の第１の特徴によれば、所定の上限データ量以内でデータ化可能な最大ページ数を算出し、この最大ページ数を示す情報をユーザに通知して読み取り動作を開始するか否かの判断を促すことで、ユーザが原稿の読み取り作業を行う際の利便性を向上することができる。
【００１３】
本発明に係る画像処理装置の第２の特徴によれば、読み取ったページ数が最大ページ数に達したら読み取り動作を中止するので、ユーザが最大ページ数を超える原稿をセットしたまま読み取り開始指示を行った場合でも、読み取った画像のデータ量が大きすぎることによる不都合が生じることを予防できる。
【００１４】
本発明に係る画像処理装置の第３の特徴によれば、原稿を単位ページ読み取るごとに、それまでに読み取ったページの合計データ量に、単位ページあたりの画像データが取り得る最大データ量を加算した加算値を算出し、この加算値が上限データ量以上となった場合は読み取り動作を終了するので、ユーザが最大ページ数を超える原稿をセットしたまま読み取り開始指示を行った場合でも、読み取った画像のデータ量が大きすぎることによる不都合が生じることを予防しつつ、上限データ量の限界近くまで利用して、より多くのページの画像を読み取ってデータ化することができる。
【００１５】
本発明に係る画像処理装置の第４の特徴によれば、原稿サイズ情報と、画像データにおける解像度およびカラー属性とから最大データ量を算出することで、容易に最大データ量を算出することができる。
【図面の簡単な説明】
【００１６】
【図１】本発明の第１の実施の形態に係る画像処理装置の構成を示すブロック図である。
【図２】第１の実施の形態における画像処理装置の原稿読み取り動作を示すフローチャートである。
【図３】最大データ量テーブルの一例を示す図である。
【図４】通知画面の一例を示す図である。
【図５】確認画面の一例を示す図である。
【図６】第２の実施の形態における画像処理装置１の原稿読み取り動作を示すフローチャートである。
【発明を実施するための形態】
【００１７】
以下、本発明の実施の形態について、図面を参照して説明する。
【００１８】
（第１の実施の形態）
図１は、本発明の第１の実施の形態に係る画像処理装置の構成を示すブロック図である。図１に示すように第１の実施の形態に係る画像処理装置１は、画像読取部２と、画像処理部３と、記憶部４と、用紙検出部５と、操作パネル部６と、制御部７とを備える。
【００１９】
画像読取部２は、複数のＣＣＤ（Charge Coupled Device）素子等の光電変換素子が配列されたイメージセンサを有し、原稿を光学的に読み取り、読み取った原稿の画像をＲ（赤），Ｇ（緑），Ｂ（青）のアナログ信号として出力する。画像読取部２は、自動原稿搬送装置（図示せず）を備え、この自動原稿搬送装置により原稿を自動搬送しながら、複数ページの原稿の各ページ画像を連続して読み取ることが可能に構成されている。
【００２０】
画像処理装置１では、自動原稿搬送装置を用いて画像読取部２で読み取る原稿の読み取り面について、原稿の片面を読み取る片面設定、または、原稿の両面を読み取る両面設定を選択することができる。画像読取部２は、片面設定の場合、原稿の用紙１枚につき片面の１ページ（単位ページ）の画像を読み取り、両面設定の場合、原稿の用紙１枚につき表面と裏面のそれぞれ１ページ（単位ページ）ずつ、合計２ページの画像を順次読み取る。
【００２１】
画像処理部３は、画像読取部２から入力されるＲＧＢのアナログ信号をＡ／Ｄ変換して画像データを生成し、この画像データにガンマ補正等の画像処理を行い、ファイル化する処理を行う。
【００２２】
画像処理装置１では、画像処理部３で生成する画像データファイルのファイル形式を設定することができる。画像処理部３は、この設定されたファイル形式で画像データをファイル化する。ファイル形式には、ＰＤＦのように全ページの画像データを１ファイルとする形式と、ＪＰＥＧのようにページごとにファイル化する形式とがある。ページごとにファイル化する形式の場合、画像処理部３は、管理、取り扱いを容易とするため、最後に、複数ページ分の画像データをまとめて圧縮して１つのファイルとする圧縮処理を行う。
【００２３】
また、画像処理装置１では、画像データのカラー属性を設定することができる。カラー属性としては、カラー、グレースケール、白黒がある。カラー設定の場合、画像処理部３は、ＲＧＢのアナログ信号を、例えばＲＧＢ各色８ｂｉｔで階調を表現する画像データに変換する。グレースケール設定の場合、画像処理部３は、ＲＧＢのアナログ信号を、例えば８ｂｉｔで白黒の階調を表現する画像データに変換する。白黒設定の場合、画像処理部３は、ＲＧＢのアナログ信号を、１ｂｉｔで白黒を表現する２値画像データに変換する。
【００２４】
記憶部４は、不揮発性の記録媒体を有し、画像処理部３で生成された画像データのファイルを記憶する。また、記憶部４は、後述する最大データ量テーブルを記憶する。
【００２５】
用紙検出部５は、画像読取部２の自動原稿搬送装置に設置されるセンサからなり、自動原稿搬送装置の原稿受け台にセットされた読み取り対象の原稿の有無、および原稿の用紙サイズを検出する。
【００２６】
操作パネル部６は、表示／入力パネル６１と、各種操作キー（図示せず）とを備え、ユーザの操作を受け付け、操作に基づく操作信号を制御部７に出力する。
【００２７】
表示／入力パネル６１は、前面に配置された感圧式あるいは静電式の透明なタッチパネル（図示せず）と、このタッチパネルの裏面に配置された液晶表示パネル（図示せず）とを有し、操作部としての機能と表示部としての機能とを併せ持つ。ユーザは、液晶表示パネルの表示画面を見ながら、タッチパネルの表面を指などで直接触れることで入力操作を行うことができる。
【００２８】
制御部７は、ＣＰＵ、プログラム等を格納するメモリ等から構成され、ＣＰＵがプログラムに応じた処理を行うことによって、画像処理装置１全体の動作を制御するものである。また、制御部７は、画像読取部２で読み取る対象の原稿の１ページあたりの画像データが取り得る最大データ量を算出するとともに、最大データ量と所定の上限データ量とに基づいて、上限データ量以内でデータ化可能な最大ページ数を算出する計算部７１としての機能を有する。
【００２９】
次に、画像処理装置１の動作について説明する。
【００３０】
図２は、第１の実施の形態における画像処理装置１の原稿読み取り動作を示すフローチャートである。ここで、画像処理装置１において、原稿を読み取って得た画像データをページごとにファイル化し、複数ページ分のファイルをまとめて圧縮して１つのファイルとする圧縮処理を行う設定がされ、圧縮処理可能なデータ量の上限値（上限データ量）が予め決まっているものとする。圧縮処理可能なデータ量の上限値は、画像処理装置１の処理能力、圧縮データ形式等に応じて、例えば２ＧＢのように予め決まっているものである。この値は、圧縮前のデータ量とする。
【００３１】
画像読取部２の原稿受け台に原稿がセットされ、ユーザ操作により読み取り開始が指示されると、ステップＳ１０において、計算部７１は、画像読取部２にセットされた読み取り対象の原稿の１ページ（単位ページ）あたりの画像データが取り得るデータ量の最大値である最大データ量を算出する。
【００３２】
この最大データ量は、原稿の用紙サイズと、画像データにおける解像度と、画像データのカラー属性とに基づいて容易に算出することができる。原稿の用紙サイズは用紙検出部５により検出され、解像度およびカラー属性は、画像処理装置１においてユーザ操作等により予め設定されるものである。
【００３３】
例えば、原稿の用紙がＡ４サイズ（２９７ｍｍ×２１０ｍｍ）で、解像度が６００ｄｐｉの設定である場合、１ページの画像データ全体の画素数は、
（２９７×６００／２５．４）×（２１０×６００／２５．４）＝３４８０６３７６
となる。カラー属性の設定がカラー設定である場合、前述のようにＲＧＢの各色につき、８ｂｉｔで階調表現を行うとすると、８ｂｉｔ＝１ｂｙｔｅであるため、ＲＧＢの３色分では、１画素あたり３ｂｙｔｅが必要となる。したがって、１ページの最大データ量は、上記で算出した１ページの画素数である３４８０６３７６（画素）に３ｂｙｔｅを乗算して、
３４８０６３７６×３＝１０４４１９１２８ｂｙｔｅ＝９９．６ＭＢ
となる。
【００３４】
カラー属性の設定がグレースケール設定である場合、前述のように８ｂｉｔ（＝１ｂｙｔｅ）で白黒の階調表現を行うとすると、１ページの最大データ量は、
３４８０６３７６×１＝３４８０６３７６ｂｙｔｅ＝３３．２ＭＢ
となる。また、カラー属性の設定が白黒設定である場合、前述のように１画素あたり１ｂｉｔ（＝１／８ｂｙｔｅ）が必要であるため、１ページの最大データ量は、
３４８０６３７６×１／８＝４３５０７９７ｂｙｔｅ＝４．１ＭＢ
となる。
【００３５】
本実施の形態では、各種の用紙サイズについて、解像度、カラー属性に応じて、上記のようにして最大データ量を予め算出して、図３に示すような最大データ量テーブル１０を作成し、記憶部４に保存しておくものとする。これにより、ステップＳ１０では、計算部７１は、用紙検出部５の検出出力により原稿の用紙サイズを示す原稿サイズ情報を取得し、最大データ量テーブル１０を参照して、目的の最大データ量を取得すればよい。
【００３６】
次いで、ステップＳ２０において、計算部７１は、圧縮処理可能なデータ量の上限値である所定の上限データ量を、ステップＳ１０で算出した最大データ量で除算することにより、上限データ量以内でデータ化可能な最大ページ数を算出する。
【００３７】
次いで、ステップＳ３０において、制御部７は、図４に示すような通知画面２０を表示／入力パネル６１に表示するよう制御する。図４に示すように、通知画面２０には、ステップＳ２０で算出した最大ページ数を示す情報、読み取り（スキャン）動作を開始するか否かをユーザに選択させるためのメッセージ、読み取り動作の開始を指示するための「開始」ボタン２１、読み取り動作を取りやめることを指示するための「中止」ボタン２２が表示される。
【００３８】
ユーザは、通知画面２０に表示される最大ページ数を確認して、必要に応じて原稿枚数を調整してから、読み取り開始を指示する操作を行うことができる。
【００３９】
ステップＳ４０では、制御部７は、ユーザ操作により「開始」ボタン２１が選択されたことに応じて操作パネル部６から読み取り動作を開始する指示信号が入力されたか否かを判断する。開始する指示信号が入力された場合（ステップＳ４０：ＹＥＳ）、ステップＳ５０に進み、ユーザの「中止」ボタン２２の選択に応じて読み取り動作を中止する指示信号が入力された場合、そのまま処理を終了する。
【００４０】
ステップＳ５０では、制御部７は、読み取り動作を開始し、原稿の１ページ目を読み取るよう画像読取部２を制御する。
【００４１】
次いで、ステップＳ６０において、制御部７は、原稿の全ページの読み取りが終了したか否かを判断する。自動原稿搬送装置により搬送されて読み取られた原稿は、原稿排紙台（図示せず）上に排出されるようになっており、全ページの読み取りが終了すると、原稿受け台には原稿が残らないようになっている。したがって、制御部７は、用紙検出部５で原稿受け台上に原稿の存在が検出されない場合、原稿の全ページの読み取りが終了したと判断できる。全ページの読み取りが終了した場合（ステップＳ６０：ＹＥＳ）、一連の処理を終了し、終了していない場合（ステップＳ６０：ＮＯ）、ステップＳ７０に進む。
【００４２】
ステップＳ７０では、制御部７は、画像読取部２で読み取った原稿のページ数が、ステップＳ２０で算出した最大ページ数に達したか否かを判断する。最大ページ数に達した場合（ステップＳ７０：ＹＥＳ）、制御部７は、次ページの読み取り動作は中止するよう画像読取部２を制御し、一連の処理を終了する。
【００４３】
ここで、読み取ったページ数が最大ページ数に達したことにより読み取り動作を中止した場合、その旨をユーザに通知するために、制御部７は、図５に示すような確認画面３０を表示／入力パネル６１に表示させるようにしてもよい。
【００４４】
最大ページ数に達していない場合（ステップＳ７０：ＮＯ）、ステップＳ８０において、制御部７は、次ページを読み取るよう画像読取部２を制御する。その後、ステップＳ６０に戻り、以降の処理を繰り返す。
【００４５】
画像読取部２は、原稿を読み取るとＲＧＢのアナログ信号を画像処理部３に出力し、画像処理部３は、設定されたカラー属性に応じて、アナログ信号のＡ／Ｄ変換および所定の画像処理を行い、ページごとに画像データをファイル化し、この画像データファイルを記憶部４に記憶する。
【００４６】
そして、原稿の全ページの読み取りが終了したこと、または、読み取った原稿のページ数が最大ページ数に達したことにより、一連の読み取り動作が終了すると、画像処理部３は、読み取った全ページ分の画像データファイルをまとめて圧縮して１つのファイルとする圧縮処理を行う。圧縮されたファイルは記憶部４に保存または外部に伝送される。
【００４７】
以上説明したように第１の実施の形態では、原稿の読み取り開始前の段階で、現在の設定において問題なくデータ化可能な最大ページ数をユーザに通知し、読み取り動作を開始するか否かの判断を促す。これにより、ユーザは、画像読取部２にセットする原稿枚数を事前に調整することができる。この結果、ユーザが全ページの読み取り作業を行った後で初めてデータ量が大きすぎることを知って、原稿枚数を調整して読み取り作業のやり直しを行うというような事態を予防でき、ユーザの利便性を向上することができる。
【００４８】
また、読み取ったページ数が最大ページ数に達したら読み取り動作を中止するので、ユーザが最大ページ数を超える原稿をセットしたまま読み取り開始指示を行った場合でも、読み取った画像のデータ量が上限データ量を超えて大きすぎることによる不都合が生じることを予防できる。
【００４９】
なお、図２のステップＳ３０における最大ページ数のユーザへの通知、およびステップＳ４０における読み取り動作を開始するか否かのユーザの判断を省略してもよい。このようにしても、読み取ったページ数が最大ページ数に達したら読み取り動作を中止するので、読み取った画像のデータ量が大きすぎることによる不都合が生じることを予防できる。
【００５０】
（第２の実施の形態）
第２の実施の形態に係る画像処理装置は、図１に示した第１の実施の形態の画像処理装置１と同様の構成であるため、図１を用いて説明する。
【００５１】
図６は、第２の実施の形態における画像処理装置１の原稿読み取り動作を示すフローチャートである。ここで、第２の実施の形態においても第１の実施の形態と同様に、原稿を読み取って得た画像データをページごとにファイル化し、複数ページ分のファイルをまとめて圧縮して１つのファイルとする圧縮処理を行う設定がされ、その圧縮形式により、圧縮処理可能な上限データ量が予め決まっているものとする。
【００５２】
図６において、ステップＳ１１０〜Ｓ１６０の処理は、第１の実施の形態で説明した図２のフローチャートのステップＳ１０〜Ｓ６０と同様であるため説明を省略する。
【００５３】
ステップＳ１６０において、原稿の全ページの読み取りがまだ終了していないと判断した場合（ステップＳ１６０：ＮＯ）、制御部７は、ステップＳ１７０において、これまでに読み取ったページの画像データ量の合計である合計データ量を算出する。
【００５４】
次いで、ステップＳ１８０において、制御部７は、ステップＳ１７０で算出した合計データ量に、ステップＳ１１０で算出した最大データ量を加えた加算値を算出する。この加算値は、次ページの読み取り後の合計データ量が取り得る最大のデータ量である。
【００５５】
次いで、ステップＳ１９０において、制御部７は、ステップＳ１８０で算出した加算値が上限データ量以上であるか否かを判断する。上限データ量以上である場合（ステップＳ１９０：ＹＥＳ）、制御部７は、次ページの読み取り動作は中止するよう画像読取部２を制御し、一連の処理を終了する。
【００５６】
ここで、上記加算値が上限データ量以上になったことにより読み取り動作を中止した場合、第１の実施の形態と同様に、制御部７は、図５に示すような確認画面３０を表示／入力パネル６１に表示させるようにしてもよい。
【００５７】
上限データ量未満である場合（ステップＳ１９０：ＮＯ）、ステップＳ２００において、制御部７は、次ページを読み取るよう画像読取部２を制御する。その後、ステップＳ１６０に戻り、以降の処理を繰り返す。
【００５８】
このように第２の実施の形態では、１ページ読み取るごとに、その次のページを読み取った後の合計データ量が取り得る最大のデータ量を算出し、この値が上限データ量以上になった場合、読み取り動作を中止する。これにより、第１の実施の形態と同様の効果に加えて、上限データ量の限界近くまで利用でき、より多くのページの画像を読み取ってデータ化することができるという効果が得られる。
【００５９】
なお、図６のステップＳ１２０における最大ページ数の算出、ステップＳ１３０における最大ページ数のユーザへの通知、およびステップＳ１４０における読み取り動作を開始するか否かのユーザの判断を省略してもよい。このようにしても、次のページを読み取った後の合計データ量が取り得る最大のデータ量が上限データ量以上になった場合に読み取り動作を中止するので、読み取った画像のデータ量が大きすぎることによる不都合が生じることを予防しつつ、上限データ量の限界近くまで利用して、より多くのページの画像を読み取ってデータ化することができる。
【００６０】
上記各実施の形態では、上限データ量を、圧縮処理可能なデータ量の上限値として説明したが、上限データ量として用いる値はこれに限らない。上限データ量は、読み取り動作を行う際の設定内容において、画像データを保存、利用等する場合の取り扱いに問題が生じないデータ量の上限値であればよい。例えば、画像データファイルを記憶部４に保存する設定の場合において、読み取り開始時における記憶部４の空き容量を上限データ量として用いてもよい。
【符号の説明】
【００６１】
１  画像処理装置
２  画像読取部
３  画像処理部
４  記憶部
５  用紙検出部
６  操作パネル部
７  制御部
１０  最大データ量テーブル
２０  通知画面
３０  確認画面
６１  表示／入力パネル
７１  計算部
【図１】
2011211326.tif 000003
【図２】
2011211326.tif 000004
【図３】
2011211326.tif 000005
【図４】
2011211326.tif 000006
【図５】
2011211326.tif 000007
【図６】
2011211326.tif 000008